(57)【特許請求の範囲】
【請求項１】
被測定者の血圧を測定する血圧測定手段と、
記憶部と、
表示部と、
前記血圧測定手段により測定された前記血圧を示す血圧データと血圧測定時の測定条件の種類とを関連付けて、前記記憶部に格納するデータ格納手段と、
所定種類の前記測定条件下で測定された血圧データ群の前記血圧データと、前記所定種類とは異なる種類の前記測定条件下で測定された血圧データ群の前記血圧データとの両方を前記記憶部から読出し、
読出された両方の前記血圧データ群のうちの一方の血圧データ群を代表する血圧データを示す代表血圧データを前記表示部に表示し、
さらに、読出された両方の前記血圧データ群それぞれについて、当該血圧データ群を代表する血圧データを示す代表血圧データと、血圧評価のための基準血圧を示す基準血圧データとの相互関係を、所定の表示態様で前記表示部に個別に表示する制御手段とを備え、
前記相互関係には、前記代表血圧データが示す血圧と、前記基準血圧データが示す前記基準血圧との高低の関係が含まれる、電子血圧計。
【請求項２】
前記所定の表示態様は、前記高低の関係を有する前記血圧どうしの差分を棒状のインジケータで表示する態様である、請求項１に記載の電子血圧計。
【請求項３】
前記所定の表示態様は、前記表示部に表示された前記代表血圧データの表示色を、前記高低の関係に従い変化させる態様である、請求項１に記載の電子血圧計。
【請求項４】
前記所定の表示態様は、前記表示部に表示された前記代表血圧データを、前記高低の関係に従う点滅の有無で表示する態様である、請求項１に記載の電子血圧計。
【請求項５】
前記所定の表示態様は、前記高低の関係に従いアイコンの有無で表示する態様である、請求項１に記載の電子血圧計。
【請求項６】
前記所定の表示態様は、前記表示部に表示された前記代表血圧データの背景ライトを、前記高低の関係に従い、点灯または消灯させる、または発光の色を変化させる、または点滅させる態様である、請求項１に記載の電子血圧計。
【請求項７】
前記制御手段は、前記高低の関係を振動、または発音により報知する手段をさらに備える、請求項１に記載の電子血圧計。
【請求項８】
前記所定種類の前記測定条件は、朝の測定であり、前記所定種類とは異なる種類の前記測定条件は、夜の測定である、請求項１に記載の電子血圧計。
【請求項９】
前記所定種類の前記測定条件は、起床後から所定期間内の測定であり、前記所定種類とは異なる種類の前記測定条件は、就寝前の所定期間内の測定である、請求項１に記載の電子血圧計。
【請求項１０】
前記所定種類とは異なる種類の前記測定条件は、前記所定種類の前記測定条件の少なくとも１日以上前の測定である、請求項１に記載の電子血圧計。
【請求項１１】
被測定者から測定した血圧のデータと血圧測定時の測定条件の種類とが関連付けて記憶された記憶部と、
表示部と、
データ処理部を備え、
前記データ処理部は、
所定種類の前記測定条件下で測定された血圧データ群の前記血圧データと、前記所定種類とは異なる種類の前記測定条件下で測定された血圧データ群の前記血圧データとの両方を前記記憶部から読出し、
読出された両方の前記血圧データ群のうちの一方の血圧データ群を代表する血圧データを示す代表血圧データを前記表示部に表示し、
さらに、読出された両方の前記血圧データ群それぞれについて、当該血圧データ群を代表する血圧データを示す代表血圧データと、血圧評価のための基準血圧を示す基準血圧データとの相互関係を、所定の表示態様で前記表示部に個別に表示する制御手段を有する、血圧測定データ処理装置。
【請求項１２】
メモリとデータ処理手段を有するコンピュータに血圧測定データ処理方法を実行させるためのプログラムであって、
前記血圧測定データ処理方法は、
前記コンピュータの前記データ処理手段が、被測定者から測定した血圧のデータと血圧測定時の測定条件の種類とを関連付けて前記メモリに記憶する記憶ステップと、
前記コンピュータの前記データ処理手段によるデータ処理ステップを備え、
前記データ処理ステップでは、
前記データ処理手段が、所定種類の前記測定条件下で測定された血圧データ群の前記血圧データと、前記所定種類とは異なる種類の前記測定条件下で測定された血圧データ群の前記血圧データとの両方を前記メモリから読出すステップと、
読出された両方の前記血圧データ群のうちの一方の血圧データ群を代表する血圧データを示す代表血圧データを表示するステップと、
さらに、読出された両方の前記血圧データ群それぞれについて、当該血圧データ群を代表する血圧データを示す代表血圧データと、血圧評価のための基準血圧を示す基準血圧データとの相互関係を、所定の表示態様で個別に表示するステップを有する、血圧測定データ処理方法をコンピュータに実行させるためのプログラム。
【請求項１３】
請求項１２に記載のプログラムを記録したコンピュータ読取り可能な記録媒体。
【発明の詳細な説明】
【技術分野】
【０００１】
この発明は電子血圧計、血圧測定データ処理装置、プログラムならびに記録媒体に関し、特に、血圧測定結果の表示機能が改善された電子血圧計、血圧測定データ処理装置、プログラムならびに記録媒体に関する。
【背景技術】
【０００２】
現在、家庭で血圧を測定する機器が急速に普及している。これらの家庭用血圧計は、一回の測定値がある一定の値を超えたときにブザーや表示器でユーザに報知する機能や、時間の異なる測定値を記録・表示する機能を備えている。
【０００３】
血圧は循環器疾患を解析する指標の一つであり、血圧に基づいてリスク解析を行うことは、たとえば脳卒中や心不全や心筋梗塞などの心血管系の疾患の予防に有効である。特に、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。そこで、時間（生活習慣）と血圧変化の相互関係を把握することが、心血管系の疾患のリスク解析に有用である。
【０００４】
このような背景の元、測定された血圧値と、測定時刻情報や測定条件を対応づけてメモリに格納し、たとえば、朝時間帯と夕方時間帯などの特定の時間帯に測定された血圧値の平均値をそれぞれ算出し、その算出結果に基づいてリスク値を算出、表示する血圧計が提供されている（特許文献１を参照）。
【０００５】
また、家庭用血圧計でリスクを表示する機能には以下のようなものがある。血圧測定値が基準値を超えたと判定した場合、セグメントＬＣＤ（Liquid Crystal Display）による数値表示を点滅表示するものや、別に設けたインジケータ（セグメントＬＣＤによる表示、ＬＥＤ（Light Emitting Diode）の点灯・点滅）を表示させるものがある（特許文献２と３を参照）。
【特許文献１】特開２００４−２６１４５２号公報
【特許文献２】特開２０００−１７５８７３号公報
【特許文献３】特開２００４−１２１６３２号公報
【発明の開示】
【発明が解決しようとする課題】
【０００６】
特許文献１の発明は、たとえば朝の血圧値と夜の血圧値の平均値と差分値を２次元表示し、平均値、差分値の両方に判定値を設ける構成としている。しかしながら、算出したリスクを適切に表示する方法が開示されていない。
【０００７】
また、特許文献２と３の発明では、１回ごとの測定値に対する判定、また、複数回の平均値に対する判定はなされているけれども、心血管系の疾患のリスク予防のための早朝高血圧判定はなされていなかった。
【０００８】
それゆえにこの発明の目的は、異なる測定条件下で測定された血圧の相互の関係、またはある種類の測定条件下で測定された血圧について、基準血圧との相互の関係を、わかりやすく表示することのできる電子血圧計、血圧測定データ処理装置、プログラムならびに記録媒体を提供することである。
【課題を解決するための手段】
【００１３】
この発明のある局面に従うと、血圧測定して得られた血圧のデータと血圧測定時の測定条件の種類とを関連付けて、記憶部またはメモリに格納し、そして、所定種類の測定条件下で測定された血圧データ群の血圧データと、所定種類とは異なる種類の測定条件下で測定された血圧データ群の血圧データの両方を記憶部またはメモリから読出して、読出した両方の血圧データ群のうちの一方の代表血圧データを表示部に表示して、さらに読出されている両方血圧データ群それぞれについて、基準血圧データとの相互関係を所定の表示態様で表示部に個別に表示する。この相互関係には、読出されている血圧データ群の代表血圧データが示す血圧と基準血圧データが示す血圧どうしの高低の関係が含まれる。
【００１４】
したがって、ある種類の測定条件下で測定された血圧データ群について、基準血圧データとの相互の関係を表示することができる。また、ある種類の測定条件下で測定された血圧データ群の代表血圧データの血圧は、基準血圧よりも高いか低いかの情報も提供することができる。
【００１７】
好ましくは、高低の関係は、高低関係にある血圧どうしの差分を棒状のインジケータで表示する。したがって、両血圧の高低関係とともに、両者の差分の情報も提供することができる。
【００１８】
好ましくは、高低の関係に従い、血圧データとの表示色を異ならせたり、点滅表示させたり、アイコンの表示または表示しない（有無）ようにしたり、さらには背景ライトを点灯させるか否か、発光色を異ならせるか、点滅させるか否か制御する。
【００１９】
したがって、高低関係を有する両方の血圧データの血圧のうち、一方の血圧が他方のそれよりも高いか低いかの情報を、簡単な表示でわかりやすく提供することができる。その結果、表示部が有する機能は簡単なものでもよく、電子血圧計に係るコストを抑えることができる。
【００２０】
好ましくは、制御手段は、所定種類の測定条件下で測定された血圧データを含む血圧データ群の代表の血圧データと、血圧評価のための基準血圧データとを比較する基準比較手段を有する。
【００２１】
したがって、基準比較手段による比較結果を、高低の関係付けに用いることができる。
好ましくは、高低の関係は振動、または発音により報知される。したがって、高低の関係を表示による視覚的情報のみなならず、振動による情報または聴覚的情報を用いても提示できる。
【００２２】
好ましくは、異なる種類の測定条件は、夜の測定と朝の測定、または、起床後から所定期間内の測定と就寝前の所定期間内の測定である。
【００２３】
したがって、朝の血圧と夜の血圧、または起床後の血圧と就寝前の血圧との高低の関係を表示することで、早朝高血圧の判断を支援できる。
【００２４】
好ましくは、異なる種類の測定条件は、所定種類の測定条件とは、１日以上間を置いた測定である。
【発明の効果】
【００２５】
本発明によれば、異なる測定条件下で測定された血圧の相互の関係を表示することができる。
【発明を実施するための最良の形態】
【００２６】
以下、この発明の実施の形態について図面を参照して詳細に説明する．以下の説明では、同一の部品および構成要素には同一の符号を付してある。それらの名称および機能も同じである。したがって、それらについての詳細な説明は繰返さない。
【００２７】
（構成）
本実施の形態に係る電子血圧計の機能構成が図１に示されて、概観は図２に示される。
【００２８】
図２を参照して本実施の形態に係る電子血圧計１は、被測定者の血圧測定部位に装着されて空気圧により加圧するためのカフ５と、血圧計本体２とカフ５とを接続するエア管３とを備える。
【００２９】
血圧計本体２は被測定者が表示内容を確認可能なように設けられた表示部４、被測定者が外部から操作可能なように設けられた電源スイッチ４１、測定スイッチ４２、記録呼出スイッチ４３、起床ボタン４４、就寝ボタン４５およびリスクボタン４６を備える。
【００３０】
電源スイッチ４１は血圧計本体２の電源をＯＮ／ＯＦＦするために操作される。測定スイッチ４２は血圧測定の開始を指示するために操作される。記録呼出スイッチ４３は、一時的に記憶された測定結果を読出し表示部４に表示するために操作される。起床ボタン４４は、血圧測定が起床後、たとえば起床後２時間以内に行なわれる場合において操作されて、就寝ボタン４５は血圧測定が就寝前、たとえば就寝前２時間以内に行なわれる場合において操作される。起床ボタン４４と就寝ボタン４５のそれぞれには‘就寝前’および‘起床後’の文字がそれぞれプリントされている。リスクボタン４６は、記憶しておいて血圧測定結果に基づくリスク値の算出を指示するために操作される。
【００３１】
図１を参照して電子血圧計１はカフ５に内蔵されている空気袋２１を介して検出される被測定部位の脈圧の変化を脈波の信号として出力するための圧力センサ１４、圧力センサ１４から出力される圧力を示す電圧信号を増幅する増幅回路１５、空気袋２１の加圧（空気圧）レベルを調整するためのポンプ１６および弁１８、ポンプ１６を駆動するポンプ駆動回路１７、弁１８の開閉を調整するための弁駆動回路１９、表示部４、メモリ１２、操作部４０、計時動作して計時データを出力するタイマ１３、電源２９、音出力部４７、振動部４８ならびにこれら各部を制御するＣＰＵ（Central Processing Unit）２０を含む。ＣＰＵ２０は内部に、一時的にデータを格納するための図示のないメモリ、リスク処理部２２、表示制御部２５、血圧・脈拍を算出する算出部２８、および血圧測定データをメモリ１２に格納する機能を有するデータ格納部３０を有し、血圧測定データの処理機能を有する。表示制御部２５は表示部４の表示を制御する。リスク処理部２２、表示制御部２５、算出部２８およびデータ格納部３０の機能は、ＣＰＵ２０により所定プログラムがメモリ１２から読出されて実行されることで、実現される。
【００３２】
空気袋２１と圧力センサ１４、ポンプ１６および弁１８とはエア管３を介して接続される。ここでは、電源２９により各部に駆動用の電源が供給されるが、電源２９は電池または商用電源などからなる。算出部２８は、増幅回路１５から入力するパルス信号に基づき血圧値、脈拍数などを算出する。
【００３３】
操作部４０は、図２に示した電源スイッチ４１、測定スイッチ４２、記録呼出スイッチ４３、起床ボタン４４、就寝ボタン４５およびリスクボタン４６を有する。
【００３４】
メモリ１２には、測定結果データを含む各種データおよび各種のプログラムが格納される。
【００３５】
上述した構成において、血圧測定に際しては、算出部２８は増幅回路１５から出力されたパルス信号（圧力信号）をデジタルデータに変換した後、当該データについて所定のアルゴリズムを適用して最高血圧（収縮期血圧）・最低血圧（拡張期血圧）を算出するとともに、脈拍数を算出する。このような算出の手順は従来から提供される周知の手順を適用できるから、ここではその詳細説明は略す。
【００３６】
電子血圧計１は外部の装置を通信により接続するための外部Ｉ／Ｆ３７を有する。外部Ｉ／Ｆ３７は通信回線３６を介して外部のコンピュータ３１を接続する。コンピュータ３１は被測定者のコンピュータであってもよく、または医家のコンピュータであってもよい。通信回線３６は有線または無線であり、ＣＰＵ２０はメモリ１２に格納された測定データを外部Ｉ／Ｆ３７を介してコンピュータ３１に送信する。コンピュータ３１はＣＰＵ３２、メモリ３３、ディスプレイ３４および通信回線を接続するためのＩ／Ｆ部３５を備える。ＣＰＵ３２はＣＰＵ２０と同様に血圧測定データの処理機能を有する。
【００３７】
図１と図２に示すように、本実施の形態に係る電子血圧計１では、起床ボタン４４および就寝ボタン４５を設け、それぞれのボタンに、生活リズムに従う血圧測定時間帯の区分（就寝前、起床後）である測定条件を予め割当て、測定結果は血圧測定において操作されたボタンが示す測定条件と関連付けてメモリ１２の所定領域に格納される。このようなスイッチ操作により血圧測定がされた場合の測定結果のメモリ１２への格納例が図３（Ａ）と（Ｂ）に示される。
【００３８】
対応付けした格納の具体例として、図３（Ａ）に示すように、測定結果を血圧測定において操作されたボタンに対応の測定条件情報、すなわち測定時間帯の区分：就寝前、起床後の別に基づいてグループ化して、メモリ１２のグループ毎に予め設けられた領域２６および２７に格納する方法が挙げられる。領域２６および２７それぞれには、測定結果はレコードＲ単位で格納される。レコードＲは、測定時刻データＴ、最高血圧を示す最高血圧データＳＢＰ、最低血圧を示す最低血圧データＤＢＰおよび脈拍数を示す脈拍数データＰＬＳを含む。これらデータは、測定がされる毎に当該測定による測定値が対応付けされて各領域に格納されればよく、レコードＲを用いた格納形式に限定されるものではない。
【００３９】
なお、測定時刻データＴは、タイマ１３により計時された測定時刻（測定開始または終了の時刻）のデータをＣＰＵ２０が入力して測定時刻データＴ（年・月・日・時・分・曜日）に変換してレコードＲに格納する。したがって、起床ボタン４４および就寝ボタン４５の操作に代替される場合には、または起床ボタン４４および就寝ボタン４５が設けられない場合には、測定時刻データＴに基づき就寝前（夜）または起床後（朝）の測定データの別を判別して、対応の領域に格納するようにしてもよい。ここでは説明を簡単にするために、起床ボタン４４および就寝ボタン４５の操作に従う測定条件に応じた記憶領域に、測定データが格納されると想定する。
【００４０】
以降の説明においては、図３（Ａ）に示すように、測定条件情報に基づきグループ化され各々のメモリ領域に血圧値等の測定結果が格納されているものと想定するが、言うまでもなく測定条件と測定結果との関連付けの方法はこのような方法に限定されない。たとえば、図３（Ｂ）のように、血圧値などの測定結果と測定条件情報とを対にしてメモリ１２に格納する方法であってもよい。図３（Ｂ）では、血圧値などの測定結果と条件情報とを対にして格納したレコードＲｉ（ｉ＝１，２，３,…,ｍ）が血圧測定が行なわれる毎にメモリ１２に格納される。レコードＲｉには、測定時刻データＴｉ、最高血圧データＳＢＰｉ、最低血圧データＤＢＰｉ、脈拍数データＰＬＳｉ、ならびに測定条件データＣ１およびＣ２のいずれかが格納される。測定条件データＣ１およびＣ２それぞれは、血圧測定において操作された起床ボタン４４または就寝ボタン４５が示す測定条件情報、すなわち測定時間帯の区分：就寝前、起床後のそれぞれを示す。
【００４１】
（リスク値の算出）
本実施の形態では、測定されてメモリ１２に格納された血圧値に基づき心血管のリスクが算出される。具体的には、ＣＰＵ２０はメモリ１２に予め格納された心血管のリスク値算出のプログラムに基づきリスク値を算出する。当該プログラムによる処理はＣＰＵ２０のリスク処理部２２の機能に相当する。リスク処理部２２は平均値算出部２３とリスク値算出・判定部２４を有する。
【００４２】
平均値算出部２３は、リスク値算出のために、まず、メモリ１２に格納された血圧値を読出して、図３（Ａ）に示されるような領域２６および２７のそれぞれごとに、血圧値の平均を算出する処理を行なう。すなわち、同じ種類の測定条件下で測定された血圧データを含む血圧データグループの代表値として、たとえばグループ内平均を、血圧データグループごとに算出する。ここでは、領域２６と２７にはそれぞれｍ個のレコードＲが格納されていると想定する。平均の血圧値の算出は次の式を用いて行なわれる。なお、ｍ＝１とすれば、血圧データグループの代表値は、各グループ毎に格納された１個（ｍ＝１）の測定データとなる。
【００４３】
起床後測定ＳＢＰ平均＝（起床後測定最高血圧データＳＢＰ１＋起床後測定最高血圧データＳＢＰ２＋…＋起床後測定最高血圧データＳＢＰｍ）／ｍ（ただし、ｍ＝１，２，３，…）。
【００４４】
起床後測定ＤＢＰ平均＝（起床後測定最低血圧データＤＢＰ１＋起床後測定最低血圧データＤＢＰ２＋…＋起床後測定最低血圧データＤＢＰｍ）／ｍ（ただし、ｍ＝１，２，３，…）。
【００４５】
就寝前測定ＳＢＰ平均＝（就寝前測定最高血圧データＳＢＰ１＋就寝前測定最高血圧データＳＢＰ２＋…＋就寝前測定最高血圧データＳＢＰｍ）／ｍ（ただし、ｍ＝１，２，３，…）。
【００４６】
就寝前測定ＤＢＰ平均＝（就寝前測定最低血圧データＤＢＰ１＋就寝前測定最低血圧データＤＢＰ２＋…＋就寝前測定最低血圧データＤＢＰｍ）／ｍ（ただし、ｍ＝１，２，３，…）。
【００４７】
起床後測定ＰＬＳ平均＝（起床後測定脈拍数データＰＬＳ１＋起床後測定脈拍数データＰＬＳ２＋…起床後測定脈拍数データＰＬＳｍ）／ｍ（ただし、ｍ＝１，２，３，…）。
【００４８】
就寝前測定ＰＬＳ平均＝（就寝前測定脈拍数データＰＬＳ１＋就寝前測定脈拍数データＰＬＳ２＋…就寝前測定脈拍数データＰＬＳｍ）／ｍ（ただし、ｍ＝１，２，３，…）。
【００４９】
この結果を用いて、リスク値算出・判定部２４は、起床後測定ＳＢＰ平均＞１３５ｍｍＨｇ、または、起床後測定ＤＢＰ平均＞８５ｍｍＨｇのとき早朝高血圧であるとのリスク値を判定する。なお、リスク判定の基準値は、たとえば、米国の血圧合同委員会の基準または日本高血圧学会の家庭血圧の高血圧基準によるものであり、最高血圧ＳＢＰの基準は１３５ｍｍＨｇおよび最低血圧ＤＢＰの基準は８５ｍｍＨｇである。これらの基準値は予めＣＰＵ２０の内部メモリ（図示せず）に格納される。
【００５０】
また、リスク値算出・判定部２４は、リスク値算出のために、以下の式に従い、就寝前の時間帯と起床直後の時間帯とに測定した血圧値の平均値（ＭＥ平均値）と、両者の差（ＭＥ差）とを算出する。
【００５１】
ＭＥ差＝起床後測定ＳＢＰ平均−就寝前測定ＳＢＰ平均
ＭＥ平均＝（起床後測定ＳＢＰ平均＋就寝前測定ＳＢＰ平均）／２
リスク値算出・判定部２４は、これらを用いてリスク値を判定する。たとえば、ＭＥ差＞２０ｍｍＨｇかつＭＥ平均＞１３５ｍｍＨｇのとき早朝高血圧であると判定する。また、特許文献１に示されるようにＭＥ差＞２０ｍｍＨｇのとき早朝高血圧と判定する。これら判定のための基準値は予めＣＰＵ２０の内部メモリ（図示せず）に格納される。
【００５２】
血圧は種々の要因に影響されてばらつくため、好ましくは複数日にわたってこれらの時間帯で血圧測定を繰返し、それぞれの時間帯について平均値を求めてからＭＥ平均値やＭＥ差を得て、結果を求めた方がリスク推定の精度が向上する。
【００５３】
（測定手順）
本実施の形態の電子血圧計１を用いた血圧測定動作について説明する。図４〜図６のフローチャートは、予めプログラムとしてメモリ１２に格納されて、ＣＰＵ２０により読出されて実行される。図４のフローチャートに従う血圧測定動作について説明する。
【００５４】
まず、被測定者はカフ５を測定部位に巻き付けて、電子血圧計１の電源スイッチ４１を操作すると、操作信号はＣＰＵ２０に与えられるので、ＣＰＵ２０は操作信号に基づき電源２９による各部への電源供給を開始する（ステップＳＴ（以下、単にＳＴと略す）１）。次に、ＣＰＵ２０は、電子血圧計１の初期化処理として、各部を制御して空気袋２１内の空気を排気し、圧力センサ１４の０ｍｍＨｇ補正を行なう（ＳＴ２）。
【００５５】
次に、被測定者は測定条件を入力するために、測定条件に応じたボタン、すなわち起床ボタン４４および就寝ボタン４５のいずれかを操作する（Ｓ５）。操作されたボタン毎に異なる操作信号が操作部４０からＣＰＵ２０に与えられる。ＣＰＵ２０は、与えられる操作信号に基づきいずれのボタンが操作されたかを判別し、判別結果が示すボタンに対応の測定条件のデータを図示のない内部メモリに一時的に記録する。
【００５６】
続いて、被測定者により測定スイッチ４２が操作されるので、当該操作による操作信号がＣＰＵ２０に与えられるので、ＣＰＵ２０は入力する操作信号に基づき、血圧測定開始が指示されたことを検知する（ＳＴ４）。そして、以降の血圧測定が開始される。また、測定スイッチ４２の操作時には、ＣＰＵ２０はタイマ１３の計時による現在の時刻データを入力して、測定時刻データＴとして図示のない内部メモリに一時的に記録する。
【００５７】
起床ボタン４４と就寝ボタン４５の操作に基づく測定条件の判別は、たとえば次のようにして行なわれる。つまり、メモリ１２には操作部４０に設けられたスイッチ毎に、当該スイッチが操作されたことを示す操作信号のデータと、当該操作信号が示す指示内容のデータとが予め対応付けて格納されている。したがって、ＣＰＵ２０は、操作部４０から与えられる操作信号に基づき、メモリ１２内のこの対応付けされたデータを検索して、当該操作信号に対応の指示内容のデータを読出すことができる。そして読出した指示内容のデータを解釈することで、測定条件付けされたこと、および条件付けされた測定条件（就寝前測定、起床後測定の別）を判別することができる。
【００５８】
上述した測定開始スイッチ４２の操作に応じて、ＣＰＵ２０は各部を制御して、被測定者の最高血圧＋４０ｍｍＨｇ程度まで加圧した後（ＳＴ５）、徐々に空気袋２１内の圧力を減圧していく（ＳＴ６）。なお、被測定者の最高血圧は予め被測定者により入力されていると想定する。この減圧過程において空気袋２１内の圧力を圧力センサ１４で検出して、ＣＰＵ２０の算出部２８は、検出された圧力に基づき血圧（最高血圧および最低血圧）値ならびに脈拍数を算出してＣＰＵ２０の内部メモリに一時的に格納するとともに（ＳＴ７）、表示制御部２５は算出された血圧値および脈拍数を表示部４に表示する（ＳＴ８）。血圧測定のための加圧・減圧の処理は従来の電子血圧計のそれと同様である。なお、ここでは血圧測定は減圧過程でするとしているが加圧過程で行なうようにしてよい。
【００５９】
ＣＰＵ２０のデータ格納部３０は、血圧と脈拍の算出・表示が終了すると、ＳＴ３で操作されたボタンが指示する測定条件のデータ（内部メモリに格納されたデータ）に対応したメモリ１２の領域に、内部メモリに一時格納されている測定結果（血圧値データＳＢＰおよびＤＢＰ、ならびに脈拍数データＰＬＳ）および測定時刻データＴを格納したあらたなレコードＲを登録する（ＳＴ９）。これにより血圧測定データは測定条件と関連付けされた記憶される。これで、一連の血圧測定は終了する。
【００６０】
図４の手順では、測定条件の入力処理（ＳＴ３）は血圧測定開始時に実行しているが、図５のように測定結果データをメモリ１２に格納する（ＳＴ９）際に、測定条件の入力（ＳＴ８ａ）が行なわれるようにしてもよい。図５の他の処理は、図４のそれと同じである。
【００６１】
また、血圧測定終了時には測定結果は一時的に内部メモリに格納されているので、測定終了後に被測定者は、操作部４０を操作して、内部メモリから測定結果データを呼出して表示部４に表示させて確認することも可能である。確認後に被測定者は起床ボタン４４または就寝ボタン４５を操作して測定条件を入力するようにしてもよい。
【００６２】
図４と図５の処理では、測定結果データは一律にメモリ１２に格納されるとしているが、測定条件の入力によって、測定結果データをメモリ１２に格納するようにしてもよい。
【００６３】
図５の血圧測定処理に続いてリスク値の算出と表示を行なう場合には、図６の手順が実行される。図６の手順では、図５のＳＴ１〜ＳＴ９の処理が同様に実行された後、ＣＰＵ２０のリスク処理部２２は、メモリ１２の各領域のデータが、リスク値を算出可能な数だけ、たとえば少なくとも１つ以上記録されたか否かを判定する（ＳＴ１０）。記録されていないと判定されると（ＳＴ１０でＮＯ）一連の処理は終了する。各領域のデータが、リスク値を算出可能な数だけ記録されたと判定された場合には（ＳＴ１０でＹＥＳ）、平均値算出部２３はメモリ１２から測定結果データを読出して、上述の式に従い平均値を算出して、またはリスク値算出・判定部２４によりリスク値の算出・判定がされて（ＳＴ１３）、算出の結果、または判定の結果は表示制御部２５により表示部４に表される（ＳＴ１５）。その後、一連の処理を終了する。
【００６４】
図６では、血圧測定からの一連の処理によりリスク値算出・表示の処理が実行されるとしたが、このような連続処理に限定されない。つまり、被測定者が操作部４０のリスクボタン４６を操作したことに応じて、リスク値の算出と表示が行なわれるようにしてもよい。
【００６５】
なお、図６のＳＴ１３とＳＴ１５の処理は、コンピュータ３１で実行されるようにしてもよい。つまり、電子血圧計１のメモリ１２に図３（Ａ）または（Ｂ）のように格納された測定データをＣＰＵ２０が読出して、通信回線３６を経由してコンピュータ３１に送信すると、コンピュータ３１のＣＰＵ３２はこれら測定データを受信して、メモリ３３に格納し、格納した測定データに基づきＳＴ１３とＳＴ１５に示す処理を施して、結果をディスプレイ３４に表示するようにしてもよい。この場合、ＣＰＵ３２は、平均値算出部２３およびリスク値算出・判定部２４を含むリスク処理部２２および表示制御部２５に相当する機能を有する（相当のプログラムを実行する）と想定する。こうした場合には、コンピュータ３１はリスク算出・判定および表示を担い、電子血圧計１は血圧測定を担うので、両者間で負荷の分散をすることができる。
【００６６】
また、遠隔の医家のコンピュータ３１と通信することで、医家は居ながらにして遠隔から被測定者の血圧データを得て、診断・治療に役立てることができる。
【００６７】
なお、コンピュータ３１へ測定データの供給は、通信回線３６を経由するものに限定されず、磁気・光ディスクなどの各種記録媒体を用いて行なうようにしてもよい。
【００６８】
以上説明した処理機能は、プログラムで実現される。本実施の形態では、このプログラムはコンピュータで読取可能な記録媒体に格納される。
【００６９】
本実施の形態では、この記録媒体として、図１に示されている電子血圧計１またはコンピュータ３１で処理が行なわれるために必要なメモリ、たとえばメモリ１２とメモリ３３そのものがプログラムメディアであってもよいし、また外部記憶装置としてＣＤ−ＲＯＭ装置（図示せず）などのプログラム読取装置が設けられ、そこに記憶媒体であるＣＤ−ＲＯＭ（図示せず）が挿入されることで読取可能なプログラムメディアであってもよい。いずれの場合においても、格納されているプログラムはＣＰＵ２０またはＣＰＵ３２によりアクセスされて実行される。
【００７０】
ここで、上述したプログラムメディアは電子血圧計１またはコンピュータ３１と分離可能に構成される記録媒体であり、フレキシブルディスクなどの磁気ディスクやＣＤ−ＲＯＭ／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系などの記録媒体であってもよい。
【００７１】
また、本実施の形態においては、通信回線３６はインターネットを含む各種通信ネットワークとすることも可能である。その場合には、電子血圧計１とコンピュータ３１のメモリ１２と３３には通信回線３６からプログラムがダウンロードされてもよい。
【００７２】
（リスク値の表示例）
ＳＴ１５の表示制御部２５による表示部４におけるリスク値の表示例を以下に示す。
【００７３】
（表示例１）
図７では、表示部４は起床後の測定データおよび就寝前の測定データをそれぞれ並べて同時に表示するための表示領域５１と５２を含む。表示領域５１には、平均値算出部２３で上述の式に従い求めた起床後測定ＳＢＰ平均データ６１、起床後測定ＤＢＰ平均データ６２および起床後測定ＰＬＳ平均データ６３がそれぞれ表示されて、これらそれぞれに並べて表示領域５２には、平均値算出部２３で上述の式に従い求めた就寝前測定ＳＢＰ平均データ７１、就寝前測定ＤＢＰ平均データ７２および就寝前測定ＰＬＳ平均データ７３それぞれが表示される。したがって、表示領域５１と５２の測定データは相互に関係付けされた態様で表示されることになる。
【００７４】
また図７の表示において、リスク値算出・判定部２４は表示領域５１と５２に表示されるデータを比較する。表示制御部２５は、その比較の結果に基づき、高い方の血圧データの表示色を、低い方のそれとは異なる所定色となるように変更するなど高低の関係を所定の態様で表示するようにしてもよい。たとえば、起床後測定ＳＢＰ平均データ６１と就寝前測定ＳＢＰ平均データ７１との値を比較して、高い血圧を示す方のデータの表示領域のデータを全て所定色で表示するようにしてもよい。図８は起床後測定ＳＢＰ平均データ６１が高い場合の色変更の表示例である。表示態様は色変更表示に限定されず、点滅表示に変更するようにしてもよい。
【００７５】
または、起床後測定ＳＢＰ平均データ６１と就寝前測定ＳＢＰ平均データ７１とを比較して、両者のうち高い血圧を示す方のデータのみを点滅表示してもよい。または、起床後測定ＤＢＰ平均データ６２と就寝前測定ＤＢＰ平均データ７２とを比較して、両者のうち高い血圧を示す方のデータのみを色変更表示してもよい。または、起床後測定ＳＢＰ平均データ６１と就寝前測定ＳＢＰ平均データ７１とを比較して、両者のうち高い血圧を示す方のデータと、起床後測定ＤＢＰ平均データ６２と就寝前測定ＤＢＰ平均データ７２とを比較して、両者のうち高い血圧を示す方のデータとの両方を色変更表示してもよい。
【００７６】
また、リスク値算出・判定部２４は、表示領域５１と５２の血圧データが示す値とリスク判定の基準値（１３５ｍｍＨｇ、８５ｍｍＨｇ）とを比較して、その比較の結果に基づき、表示制御部２５は、基準値よりも高いか低いかを表示するようにしてもよい。たとえば、表示領域５１と５２のうち、基準値よりも高い血圧値を含む領域のデータはすべて点滅表示させるようにしてもよい。または、基準値よりも高い血圧データ（最高血圧のみ、最低血圧のみ、または両方）を色変更表示させるようにしてもよい。
【００７７】
また、表示態様は次のようであってもよい。つまり、表示制御部２５は、上述の比較の結果に基づき高いと判定された方の血圧（最高血圧、最低血圧、および両方の血圧）のデータの背景に予め設けられたバックライトを、低いと判定された方の血圧のデータのバックライトとは異なるように変化させる。たとえば、高い方の血圧データのバックライトのみを点灯または点滅させたりする。または、高いと判定された方の血圧データと低いと判定された方の血圧データのバックライトの発光色を異ならせたり、発光色と点滅とを用いて異ならせたり、点滅周期を異ならせたり、などする。
【００７８】
図９では、表示部４に領域２６と２７の一方の領域２７から読出された血圧データグループについて算出された代表値（起床後測定ＳＢＰ平均データ６１、起床後測定ＤＢＰ平均データ６２および起床後測定ＰＬＳ平均データ６３からなる起床後測定データ）のみが表示されている。
【００７９】
そして、リスク値算出・判定部２４は、図９のように表示部４に表示された代表の血圧データが示す値とリスク判定の基準値（１３５ｍｍＨｇ、８５ｍｍＨｇ）とを比較する。この比較の結果に基づき、表示制御部２５は、基準値よりも高いか低いかを表示部４に表示する。たとえば、基準値よりも高い血圧データが表示されていれば、表示部４のバックライトを基準値より高い血圧である旨を報知するために変化させてもよい。または、基準値よりも高い血圧データ（最高血圧のみ、最低血圧のみ、または両方）のバックライトのみを他のデータのバックライトとは異なるように変化させてもよい。バックライトの変化の態様としては、たとえば、消灯または点灯または点滅させたりする。または、発光色を変化させる。または発光色と点滅とを用いて変化させる。または点滅周期を変化させる、などである。なお、平均値算出部２３が領域２６と２７のうち領域２６からデータを読出した場合も、同様である。
【００８０】
図９の表示態様において、いずれの種類の測定条件のデータを表示するかは、操作部４０を介してユーザにより指示されてもよい。または、予め決められていても良い。
【００８１】
（表示例２）
図１０では、表示部４は表示領域５１と５３を含む。表示領域５１には、たとえば、起床後測定ＳＢＰ平均データ６１、起床後測定ＤＢＰ平均データ６２および起床後測定ＰＬＳ平均データ６３が表示される。表示領域５３には、リスク値算出・判定部２４による、表示領域５１に表示された平均データと、リスク判定の基準値（１３５ｍｍＨｇ、８５ｍｍＨｇ）との比較の結果、または就寝前の測定データの平均値との比較の結果が示されるようにしてもよい。表示領域５３には、比較の結果を示すためのブロック８１〜８４が表示される。表示領域５３のブロック８１〜８４の表示例が図１１（Ａ）〜（Ｄ）に示される。
【００８２】
図１０の表示の場合、平均値算出部２３は異なる種類の測定条件毎の領域２６と２７のそれぞれから測定データを読出して、上述の式に従いそれぞれ平均を算出する。表示制御部２５は、そのうちのいずれか一方の種類の測定条件の平均データを選択して表示領域５１に表示する。ここでは、起床後測定領域２７についての平均データが表示されているが、就寝前測定領域２６の平均データが選択されてもよい。図１０の表示領域５１に、いずれの種類の測定条件のデータを表示するかは、操作部４０を介してユーザにより指示されてもよい。または、予め決められていても良い。
【００８３】
図１１（Ａ）では、リスク判定の基準値（１３５ｍｍＨｇ、８５ｍｍＨｇ）８０と血圧測定値との比較の結果が、ブロック８１〜８４の反転（非反転）表示で示される。具体的には、比較の結果、起床後測定ＳＢＰ平均データ６１と起床後測定ＤＢＰ平均データ６２が基準値８０よりも高く、かつ就寝前測定ＳＢＰ平均データ７１と就寝前測定ＤＢＰ平均データ７２が基準値８０よりも低いと判定される場合には、起床後（朝）の基準値８０を挟んだ上下のブロック８１と８２は反転表示（塗潰し表示）されて、就寝前（夜）の基準値８０を挟んだ上下のブロック８３と８４のうち基準値８０よりも下のブロック８４は反転表示されて上のブロック８３は非反転表示（空白表示）される。
【００８４】
なお、基準値８０よりも高いか低いかの判定は、リスク値算出・判定部２４によりなされる。具体的には、『最高血圧＞１３５ｍｍＨｇまたは最低血圧＞８５ｍｍＨｇ』、または、『最高血圧＞１３５ｍｍＨｇかつ最低血圧＞８５ｍｍＨｇ』との関係式が成立すると判定したときは、血圧値が所定の基準値８０よりも高いと評価して、当該関係式が成立しないと判定した場合には、血圧値が所定の基準値８０よりも低いと評価する。この関係式では、起床後（朝）については起床後測定ＳＢＰ平均データ６１と起床後測定ＤＢＰ平均データ６２のいずれか一方、または両方が適用されて、就寝前（夜）については就寝前測定ＳＢＰ平均データ７１と就寝前測定ＤＢＰ平均データ７２のいずれか一方、または両方が適用される。
【００８５】
また、図１１（Ｂ）では、リスク値算出・判定部２４は起床後と就寝前の測定血圧を比較して、その比較の結果に基づき表示制御部２５は高いか低いかをブロック８１〜８４を用いて表示する。図１１（Ｂ）では、就寝前測定ＳＢＰ平均データ７１よりも起床後測定ＳＢＰ平均データ６１の値が高いので、この比較の結果を示すために、起床後（朝）に対応の上下のブロック８１と８２が反転表示されて、かつ就寝前（夜）に対応の上下のブロックのうち下のブロック８４が反転表示される。
【００８６】
また、図１１（Ｃ）と（Ｄ）では、起床後と就寝前の血圧測定データの平均を比較して、比較の結果に基づき高いか低いかを表示し、かつ所定の基準値に対して平均値が高いか低いかを表示する。図１１（Ｃ）では、リスク値算出・判定部２４は、起床後測定ＳＢＰ平均データ６１が就寝前測定ＳＢＰ平均データ７１よりも高く、かつ起床後測定平均データが上述の関係式に基づき基準値８０よりも高いと評価するので、この結果に基づき表示制御部２５は起床後（朝）の上下のブロック８１と８２を反転表示して、ブロック８３と８４は空白表示する。同様にして、図１１（Ｄ）では、起床後測定ＳＢＰ平均データ６１が就寝前測定ＳＢＰ平均データ７１よりも高く、かつ起床後測定平均データが上述の関係式に基づき基準値８０よりも低いと評価されるので、起床後（朝）の上下のブロック８１と８２のうち下のブロック８２のみが反転表示されて、他のブロックは空白表示である。
【００８７】
（表示例３）
図１２は、図１０の表示領域５３におけるブロック８１〜８４の他の表示態様が示される。表示領域５３のブロック８１〜８４の表示態様が、図１３（Ａ）〜（Ｄ）に示される。平均値算出部２３の動作は図１０のそれと同じである。
【００８８】
図１３（Ａ）では、血圧測定値と基準値８０との比較の結果が示される。たとえば、表示領域５１に示された起床後測定ＳＢＰ平均データ６１と起床後測定ＤＢＰ平均データ６２のいずれか一方、または両方と基準値８０とについて上述の関係式が成立して（すなわち、起床後の血圧が基準値８０よりも高い）、かつ就寝前測定ＳＢＰ平均データ７１と就寝前測定ＤＢＰ平均データ７２のいずれか一方、または両方と基準値８０とについて上述の関係式が成立しない（すなわち、就寝前の血圧が基準値８０よりも低い）と判定された場合には、その判定（比較）結果を示すために、起床後（朝）の基準値８０を挟んだ上下のブロック８１および８２のうちの上のブロック８１と、就寝前（夜）の基準値８０を挟んだ上下のブロック８３および８４のうちの下のブロック８４が反転表示（塗潰し表示）されて、他のブロックは非反転表示（空白表示）される。
【００８９】
また、図１３（Ｂ）では、起床後と就寝前との血圧測定データの平均を比較して、比較の結果に基づく両者の関係が、ブロック８１〜８４を用いて表示される。図１３（Ｂ）の表示例では、たとえば、起床後測定ＳＢＰ平均データ６１の値が就寝前測定ＳＢＰ平均データ７１の値よりも高いと比較・判定されるので、その比較・判定の結果を示すために、起床後（朝）のブロック８１および８２のうち上のブロック８２および就寝前（夜）のブロック８３および８４のうち下のブロック８４のみが反転表示（塗潰し表示）されて、他のブロックは非反転表示（空白表示）される。
【００９０】
また、図１３（Ｃ）と（Ｄ）では、起床後と就寝前の血圧の比較結果と、基準値８０との比較の結果を表示する態様が示される。図１３（Ｃ）では、起床後測定ＳＢＰ平均データ６１は就寝前測定ＳＢＰ平均データ７１よりも高く、かつ起床後測定ＳＢＰ平均データ６１と起床後測定ＤＢＰ平均データ６２と基準値８０とについて上述の関係式が成立する（基準値８０よりも高い）と判定された場合において、この比較・判定結果を表示するために、起床後（朝）の基準値８０を挟んだ上下のブロック８１および８２のうち、基準値８０よりも上のブロック８１を反転表示（塗潰し表示）し、他のブロックは非反転表示（空白表示）している。
【００９１】
また、図１３（Ｄ）では、起床後測定ＳＢＰ平均データ６１は就寝前測定ＳＢＰ平均データ７１よりも高く、かつ就寝前より起床後の血圧測定データの平均が高く、かつ起床後測定ＳＢＰ平均データ６１と起床後測定ＤＢＰ平均データ６２と基準値８０とについて上述の関係式が成立しない（基準値８０よりも低い）と判定された場合において、この比較・判定結果を表示するために、起床後（朝）の基準値８０を挟んだ上下のブロック８１および８２のうち、基準値８０よりも下のブロック８２を反転表示（塗潰し表示）し、他のブロックは非反転表示（空白表示）している。
【００９２】
図１３（Ｂ）〜（Ｄ）において、起床後と就寝前との血圧値が比較されているが、比較対照は起床後測定ＳＢＰ平均データ６１と就寝前測定ＳＢＰ平均データ７１との組に限定されず、起床後測定ＤＢＰ平均データ６２と就寝前測定ＤＢＰ平均データ７２の組であってもよい。
【００９３】
（表示例１）〜（表示例３）では、異なる測定条件下で血圧測定した得られたデータを高低の相互関係を付けて表示しているが、表示対象となる異なる測定条件下の測定データは起床後測定平均のデータと就寝前測定平均のデータに限定されない。たとえば、今回の測定データと前回の測定データであってもよく、または、今日の測定データの平均値と昨日の測定データの平均値であってもよく、または、月曜の測定データの平均値とそれ以外の曜日の測定データの平均値であってもよく、または、今週の測定データの平均値と先週の測定データの平均値であってもよく、または、今月の測定データの平均値と先月の測定データの平均値であってもよい。
【００９４】
（表示例４）
測定された血圧値どうしを比較して、比較の結果に基づき一方が他方に対して高いか低いかを判定して、判定された結果を図１４〜図１６のように矢印８５の向きを用いて表示するようにしてもよい。ここでは、高低の関係を矢印の向きを用いて示すが、その向きで高低の関係を示すことができる記号・絵であれば、矢印に限定されない。
【００９５】
たとえば、図１４では、今日の起床後測定ＳＢＰ平均データ６４、起床後測定ＤＢＰ平均データ６５および起床後測定ＰＬＳ平均データ６６とともに、矢印８５を表示する。リスク値算出・判定部２４は、今日の起床後測定ＳＢＰ、起床後測定ＤＢＰおよび起床後測定脈拍数ＰＬＳの平均データ６４〜６６と、昨日の就寝前測定ＳＢＰ、就寝前測定ＤＢＰおよび就寝前測定脈拍数ＰＬＳの平均データ就寝前測定ＳＢＰ平均データとを比較して、表示制御部２５は比較の結果が示す昨日と比較しての血圧変化、すなわち高低の関係を矢印８５で示す。なお、これら平均値は平均値算出部２３で求められる。図１４では起床後測定ＳＢＰ平均データ６４と就寝前測定ＳＢＰ平均データどうしを比較した結果、起床後測定ＳＢＰ平均データ６４が就寝前測定ＳＢＰ平均データよりも高いとの傾向を示すので、矢印８５は上向き表示されている。もし、低ければ下向き矢印８５となり、変化なければ水平向きの矢印８５となる。
【００９６】
比較は、たとえば、起床後と就寝前の最高血圧、最低血圧および脈拍数の平均データいずれか１つの比較、または起床後と就寝前の最高血圧、最低血圧および脈拍数のすべての平均データの比較、または起床後と就寝前の最高血圧と最低血圧の平均データのうちのいずれか１つの比較、または起床後と就寝前の最高血圧と最低血圧の平均データの２つの比較であってもよい。最高血圧、最低血圧および脈波数の平均データのすべてを比較する場合は、起床後のこれら３種類のデータのうち１つ以上が就寝前のそれよりも高ければ、上向きの矢印８５となり、低ければ下向きの矢印８５となり、３種類のデータに変化がなければ水平向きの矢印８５となる。また、最高血圧および最低血圧のすべてを比較して傾向を判定する場合には、起床後の最高血圧および最低血圧の少なくとも１つが就寝前のそれよりも高ければ上向きの矢印８５となり、低ければ下向きの矢印８５となり、２種類のデータに変化がなければ水平の矢印８５となる。
【００９７】
また、図１５に示すように、起床後測定ＳＢＰ、起床後測定ＤＢＰおよび起床後測定脈拍数ＰＬＳの平均データ６４〜６６のそれぞれについて、対応して矢印８５を表示してもよい。今日の起床後測定ＳＢＰ、起床後測定ＤＢＰおよび起床後測定脈拍数ＰＬＳの平均データ６４〜６６のそれぞれと、昨日の就寝前測定ＳＢＰ、就寝前測定ＤＢＰおよび就寝前測定脈拍数ＰＬＳの平均データそれぞれとを比較して、比較の結果に基づき、対応の矢印８５の向きを変更するようにしてもよい。
【００９８】
図１６に示すように、今日の起床後測定ＳＢＰ、起床後測定ＤＢＰおよび起床後測定脈拍数ＰＬＳの平均データ６４〜６６とともに、今週、先週、先先週毎に、測定データの比較の結果に基づく向きを示す矢印８５を表示してもよい。リスク値算出・判定部２４は、今日の起床後測定ＳＢＰ平均データ６４と今週の起床後測定ＳＢＰ平均データとの比較、起床後測定ＳＢＰ平均データ６４と先週の起床後測定ＳＢＰ平均データとの比較、起床後測定ＳＢＰ平均データ６４と先先週の起床後測定ＳＢＰ平均データとの比較をして、表示制御部２５は各比較の結果に基づく向きの矢印８５を各週毎に対応付けて表示する。なお、これら各週毎の平均値は平均値算出部２３で求められる。
【００９９】
図１４と図１５では、今日の起床後測定ＳＢＰ、起床後測定ＤＢＰおよび起床後測定脈拍数ＰＬＳの平均データ６４〜６６と、昨日の就寝前測定ＳＢＰ、就寝前測定ＤＢＰおよび就寝前測定脈拍数ＰＬＳの平均データとの比較であったが、比較対象はこれに限定されない。たとえば、今回の測定値と前回の測定値、または起床後の測定値と就寝前の測定値（１測定値、または平均値での比較）、今日の測定値と昨日の測定値（平均値での比較）、または今週の測定値と先週の測定値（平均値での比較）、または今月の測定値と先月の測定値（平均値での比較）であってもよい。
【０１００】
また、図１４では、測定値どうしの比較であったが、リスク判定の基準値（１３５ｍｍＨｇ、８５ｍｍＨｇ）との比較であってもよい。つまり、今日の起床後測定ＳＢＰ、起床後測定ＤＢＰおよび起床後測定脈拍数ＰＬＳの平均データ６４〜６６を表示しながら、リスク値算出・判定部２４は、今日の起床後測定ＳＢＰ平均データ６４と起床後測定ＤＢＰ平均データ６５と基準値とについて、前述の関係式が成立するかを判定して、成立するとの判定がされた場合には、表示制御部２５は矢印８５を上向きに、成立しないと判定された場合には下向きに表示する。
【０１０１】
（表示例５）
測定された血圧値どうしを比較して、比較の結果に基づき一方が他方に対して高いか低いかを判定して、判定された結果を図１７〜図１９のようにアイコン８８を用いて表示するようにしてもよい。ここでは、高低の関係をアイコン８８の表示態様を用いて示す。なお、図１７〜図１９の対象のデータおよび比較の手順などは、図１４〜図１６で説明したものと同様である。
【０１０２】
アイコン８８の表示態様は、アイコンの点灯・消灯による表示の有無、点滅または表示色または表示色と点滅の組合わせ、または点滅周期を用いて変化させる。
【０１０３】
図１７〜図１９それぞれでは、図１４〜図１６それぞれの矢印８５がアイコン８８で代替した場合の表示例が示される。図１７では起床後測定ＳＢＰ平均データ６４と就寝前測定ＳＢＰ平均データどうしを比較した結果、起床後測定ＳＢＰ平均データ６４が就寝前測定ＳＢＰ平均データよりも高いとの傾向を示すので、アイコン８５は点灯する。もし、低ければ点滅したままである。変化なければ消灯する。
【０１０４】
また、図１８に示すように、起床後測定ＳＢＰ、起床後測定ＤＢＰおよび起床後測定脈拍数ＰＬＳの平均データ６４〜６６のそれぞれについて、対応してアイコン８８を表示してもよい。今日の起床後測定ＳＢＰ、起床後測定ＤＢＰおよび起床後測定脈拍数ＰＬＳの平均データ６４〜６６のそれぞれと、昨日の就寝前測定ＳＢＰ、就寝前測定ＤＢＰおよび就寝前測定脈拍数ＰＬＳの平均データそれぞれとを比較して、比較の結果に基づき、対応のアイコン８８の表示態様を変化させるようにしてもよい。
【０１０５】
また、図１９に示すように、今日の起床後測定ＳＢＰ、起床後測定ＤＢＰおよび起床後測定脈拍数ＰＬＳの平均データ６４〜６６とともに、今週、先週、先先週毎に、測定データの比較の結果に基づきアイコン８８を表示してもよい。リスク値算出・判定部２４は、今日の起床後測定ＳＢＰ平均データ６４と今週の起床後測定ＳＢＰ平均データとの比較、起床後測定ＳＢＰ平均データ６４と先週の起床後測定ＳＢＰ平均データとの比較、起床後測定ＳＢＰ平均データ６４と先先週の起床後測定ＳＢＰ平均データとの比較をして、表示制御部２５は各比較の結果に基づく態様で各週毎に対応のアイコン８８を表示する。
【０１０６】
（表示例６）
異なる測定条件下での血圧測定結果データどうしを比較し、その比較の結果を図２０〜図２３のように棒状のインジケータ８６を用いて血圧の高い・低いの傾向を表示するようにしてもよい。
【０１０７】
図２０では、表示部４には、今日の起床後測定ＳＢＰ、起床後測定ＤＢＰおよび起床後測定脈拍数ＰＬＳの平均データ６４〜６６を表示しながら、インジケータ８６が表示される。リスク値算出・判定部２４は、起床後測定ＳＢＰ平均データ６４と昨日の就寝前測定ＳＢＰ平均データの値を比較して差分を求め、求めた差分は表示制御部２５により、インジケータ８６を用いて表示される。
【０１０８】
インジケータ８６を用いた表示例が図２４（Ａ）〜（Ｅ）に示される。起床後測定ＳＢＰ平均データの値から就寝前測定ＳＢＰ平均データの値を引いた差分が−２０ｍｍＨｇを超えている場合には、インジケータ８６は図２４（Ａ）のように表示される。同様に、その差分が−１０〜−２０ｍｍＨｇである場合には図２４（Ｂ）のように表示され、その差分が±１０ｍｍＨｇであれば図２４（Ｃ）のように表示され、また、１０〜２０ｍｍＨｇとなった場合には図２４（Ｄ）のように表示され、また差分が２０ｍｍＨｇを超えると図２４（Ｅ）のように表示される。このようにインジケータ８６を棒状に積まれた複数ブロックで表示して、差分に該当のレベルを指示する１個のブロックのみを反転表示（塗潰し表示）している。したがって、棒状のインジケータにおいて反転表示されたブロックの位置を確認することで差分を認識できる。
【０１０９】
図２０では、起床後測定ＳＢＰ平均データと就寝前測定ＳＢＰ平均データどうしの比較であったが、比較対象はこれに限定されない。たとえば、起床後と就寝前の最高血圧、最低血圧および脈拍数の平均データいずれか１つの比較であってもよい。または、起床後と就寝前の最高血圧と最低血圧の平均データのうちのいずれか１つの比較であってもよい。または起床後と就寝前の最高血圧、最低血圧および脈拍数のすべての平均データの比較であってもよい。または起床後と就寝前の最高血圧と最低血圧の平均データの２つの比較であってもよい。これら複数の平均データを比較した場合は、比較の結果である複数の差分のうち、もっとも大きな差分を表示するようにしてもよい。
【０１１０】
図２１では、今日の起床後測定ＳＢＰ、起床後測定ＤＢＰおよび起床後測定脈拍数ＰＬＳの平均データ６４〜６６のそれぞれと、昨日の就寝前測定ＳＢＰ、就寝前測定ＤＢＰおよび就寝前測定脈拍数ＰＬＳの平均データそれぞれとを比較して、比較の結果に基づき、対応のインジケータ８６の表示を図２０と同様に行なう。
【０１１１】
図２２では、今日の起床後測定ＳＢＰ、起床後測定ＤＢＰおよび起床後測定脈拍数ＰＬＳの平均データ６４〜６６とともに、今週、先週、先先週毎に、測定データの比較の結果に基づく傾向を示すインジケータ８６を表示する。起床後測定ＳＢＰ平均データ６４と今週の起床後測定ＳＢＰ平均データとの比較、起床後測定ＳＢＰ平均データ６４と先週の起床後測定ＳＢＰ平均データとの比較、起床後測定ＳＢＰ平均データ６４と先先週の起床後測定ＳＢＰ平均データとの比較がされて、各比較の結果に基づき、図２０と同様に、各週毎に対応のインジケータ８６が表示される。
【０１１２】
図２３では、今日の起床後測定ＳＢＰ、起床後測定ＤＢＰおよび起床後測定脈拍数ＰＬＳの平均データ６４〜６６とともに、今日の起床後測定ＳＢＰ平均データ６４と月〜日の各曜日毎の起床後測定ＳＢＰ平均データとの比較に基づく、差分を、各曜日毎のインジケータ８６で図２０と同様に表示する。
【０１１３】
図２０と図２１では、今日の起床後測定ＳＢＰ、起床後測定ＤＢＰおよび起床後測定脈拍数ＰＬＳの平均データ６４〜６６と、昨日の就寝前測定ＳＢＰ、就寝前測定ＤＢＰおよび就寝前測定脈拍数ＰＬＳの平均データとの比較であったが、比較対象はこれに限定されない。たとえば、今回の測定値と前回の測定値、または起床後の測定値と就寝前の測定値（１測定値、または平均値での比較）、今日の測定値と昨日の測定値（平均での比較）、または今週の測定値と先週の測定値（平均での比較）、または今月の測定値と先月の測定値（平均での比較）であってもよい。
【０１１４】
また、図２０では、測定値どうしの比較であったが、リスク判定の基準値（１３５ｍｍＨｇ、８５ｍｍＨｇ）との比較であってもよい。つまり、今日の起床後測定ＳＢＰ、起床後測定ＤＢＰおよび起床後測定脈拍数ＰＬＳの平均データ６４〜６６を表示しながら、リスク値算出・判定部２４は、今日の起床後測定ＳＢＰ平均データ６４と起床後測定ＤＢＰ平均データ６５と基準値（１３５ｍｍＨｇまたは８５ｍｍＨｇ）との差分を求めて、求めた差分を表示制御部２５はインジケータ８６で表示してもよい。差分は、起床後測定ＳＢＰ平均データ６４の基準値１３５ｍｍＨｇとの差分、または起床後測定ＤＢＰ平均データ６３と基準値８５ｍｍＨｇとの差分である。そのようなインジケータの表示例が図２５に示される。図２５では基準値８０との差分がインジケータ８６を用いて表示される。
【０１１５】
（表示例７）
図２０〜図２５の他の表示例が図２６〜図３１に示される。図２０〜図２５のインジケータ８６を用いた傾向の表示は、図２６〜図３１に示されるように、比較対象となる異なる測定条件下の２つの測定データの差分、または基準値との差分がインジケータ８７の複数ブロックのうち１つ以上のブロックを反転表示（塗潰し表示）することで指示される。反転表示されたブロックの総数を確認することにより差分の量を認識できる。
【０１１６】
なお、表示例６と６のインジケータを用いた表示では、基準値８０よりも高い場合にのみインジケータにおける反転表示をするようにしてもよい。
【０１１７】
（表示例８）
表示例６と７では、比較の結果が示す差分をインジケータ８６と８７を用いて示したが、表示例８では、インジケータに代替してＬＥＤ８９を用いる。インジケータ８６または８７をＬＥＤ８９に代替した他は、表示される測定データ、比較・判定の手順、および比較対象のデータは表示例６と７と同様である。
【０１１８】
図３２〜図３４に示すように、対象となる血圧データどうしの比較の結果、または血圧データと基準値８０との比較の結果に基づき、表示制御部２５は、ＬＥＤ８９の表示態様を変更させる。つまり、比較の結果が示す高い、または低いの高低の関係を、ＬＥＤ８９を点灯させて、または点滅させて表示する。
【０１１９】
また、差分量を点灯または点滅で示すようにしてもよい。たとえば、差分が１０ｍｍＨｇ未満：消灯、１０ｍｍＨｇ以上２０ｍｍＨｇ未満：点灯、２０ｍｍＨｇ以上：点滅というようにしてもよい。
【０１２０】
また、差分量をＬＥＤ８９の発光色を用いて示すようにしてもよい。たとえば、差分が１０ｍｍＨｇ未満：緑、１０ｍｍＨｇ以上２０ｍｍＨｇ未満：橙、２０ｍｍＨｇ以上：赤というようにしてもよい。なお、用いる発光色はこれに限定されない。
【０１２１】
図３２〜図３４では、ＬＥＤ８９を表示部４の一部として設けたが、図２の表示部４の外部であって、表示部４の近辺に表示データを対応付けがされるように設けられてもよい。
【０１２２】
上述の表示例４〜８では、平均値算出部２３は、メモリ１２の図３（Ａ）の領域２６および２７から血圧測定データを読出し、読出したデータについて上述の平均を算出する処理を行なう。そして、表示制御部２５は、いずれか１種類の測定条件下で測定された血圧について算出された平均データを選択して表示する。したがって、表示される平均データは、領域２６についての平均データであってもよく、また領域２７についての平均データであってもよい。いずれの平均データを選択するかの指示は操作部４０を介してユーザが与えてもよく、また予め決められていてもよい。
【０１２３】
（表示例９）
上述した対象血圧データどうしの比較の結果、または血圧データと基準値８０との比較の結果に基づく、高い・低いの傾向を、表示部４の表示とともに振動部４８による血圧計本体２の振動、または音出力部４７により出力される音で提示して被測定者に報知するようにしてもよい。
【０１２４】
具体的には、判定された高い・低いの傾向に基づき、ＣＰＵ２０は振動部４８または音出力部４７を制御する。この制御により、高いまたは低いの傾向が振動部４８による振動周期または振動パターンの違いで提示される。同様に、音出力部４７から出力される音の音色、音階、リズムの違いで提示される。
【０１２５】
なお、高い、または低いの傾向は、表示部４の表示は伴わずに、音出力部４７または振動部４８のみを用いて提示してもよい。
【０１２６】
（表示例１０）
表示例を図３５（Ａ）と（Ｂ）を参照して説明する。
【０１２７】
図３５（Ａ）と（Ｂ）の表示部４は表示領域４Ａ、４Ｂおよび４Ｃを有する。表示領域４Ａには今日の起床後測定ＳＢＰ、起床後測定ＤＢＰおよび起床後測定脈拍数ＰＬＳの平均データ６４〜６６のそれぞれが表示されて、表示領域４Ｃには表示領域４Ａに表示のデータは起床後（朝）測定の血圧値などであることを示すための朝のマーク（絵柄、記号、文字など）が表示される。
【０１２８】
リスク値算出・判定部２４は、表示領域４Ａの血圧データが示す値とリスク判定の基準値（１３５ｍｍＨｇ、８５ｍｍＨｇ）とを比較して比較結果を出力する。表示領域４Ａの血圧データが基準値よりも高い（基準値を超える）場合には、出力された比較の結果に基づき、表示制御部２５は、表示部４における表示の態様を変更する。たとえば、表示領域４Ａのデータの表示態様の変更、および表示領域４Ｂに基準を超えたことを示すアイコン９０などの記号や絵柄の点灯（表示）のうちの少なくとも一方を行なう。表示領域４Ａのデータの表示態様の変更としては、バックライトを点滅させる、または発光色を変える、または点灯（または消灯）させるなどである。表示領域４Ｂと４Ｃのアイコン９０および朝マークの表示用データはメモリ１２の所定領域に予め格納されており、表示制御部２５はメモリ１２から読出した表示用データに基づきアイコン９０および朝マークを表示する。
【０１２９】
また、表示領域４Ａのデータの表示態様の変更に代替して、表示領域４Ｃのマークの表示態様を変更するようにしてもよい。たとえば、マークの点滅開始、表示色の変更などである。
【０１３０】
なお、基準値を超えた場合には、表示領域４Ａのデータの表示態様の変更、表示領域４Ｂのアイコン９０の点灯および表示領域４Ｃのマークの表示態様の変更の全てがされるようにしてもよい。
【０１３１】
一方、表示領域４Ａの血圧データが基準値以下（基準値を超えない）の場合には、図３５（Ｂ）のように、各表示領域における表示態様は変更されない。
【０１３２】
なお、本表示例は起床後測定の平均血圧値であったが、就寝前測定の平均血圧値であっても同様に適用することができる。また、所定時間帯、１日、１週、１ヶ月、１年などの平均血圧値であっても同様に適用することができる。
【０１３３】
このように、表示例１０では、起床後（朝）および就寝前（夜）のいずれか一方で測定された血圧データ群の代表データとして平均血圧データを表示部４に表示するとともに、表示される平均血圧値と基準値との相互関係として両者の比較結果が示す高低関係を、表示された平均血圧データの表示態様、またはアイコン９０の点灯の有無、または朝（夜）マークの表示態様で示している。
【０１３４】
また、表示部４に、比較結果に基づく基準値と表示領域４Ａの平均血圧値との差分を前述したような棒状のインジケータ８７で表示するようにしてもよい。
【０１３５】
（表示例１１）
本表示例では、昨日の就寝前測定ＳＢＰ、就寝前測定ＤＢＰおよび就寝前測定脈拍数ＰＬＳの平均値算出部２３により算出された平均データ６４１、６５１および６６１、および今朝の起床後測定ＳＢＰ、起床後測定ＤＢＰおよび起床後測定脈拍数ＰＬＳそれぞれの平均値算出部２３により算出された平均データと、リスク判定の基準値とをリスク値算出・判定部２４により比較して、比較の結果に基づき、表示制御部２５は表示部４のデータの表示態様を変更する。
【０１３６】
表示例を図３６（Ａ）〜（Ｃ）を参照して説明する。
図３６（Ａ）〜（Ｃ）の表示部４は表示領域４Ａ、４Ｂおよび４Ｃを有する。表示制御部２５は、表示領域４Ａには昨日の就寝前測定ＳＢＰ、就寝前測定ＤＢＰおよび就寝前測定脈拍数ＰＬＳの平均データ６４１、６５１および６６１を表示し、表示領域４Ｃには表示領域４Ａに表示のデータは就寝前（夜）測定の血圧値などであることを示すための夜のマーク（絵柄、記号、文字など）を表示する。表示領域４Ｂはアイコン９０を表示するために設けられる。リスク値算出・判定部２４が、起床後測定ＳＢＰと起床後測定ＤＢＰの平均値算出部２３により算出された平均データが示す値と基準値とを比較して、基準値を超えていると判定した場合には、表示制御部２５により表示領域４Ｂにアイコン９０が点灯（表示）される。
【０１３７】
図３６（Ａ）では、就寝前測定ＳＢＰと就寝前測定ＤＢＰの平均データ６４１と６５１が示す血圧値と基準値との比較の結果、平均の血圧値が基準値を超えていると判定されるので、表示制御部２５は表示領域４Ａのデータの表示態様を変更している。たとえば、バックライトの点滅をさせているが、色の変更であってもよく、またはバックライトを点灯（または消灯）させるとしてもよい。また、起床後測定ＳＢＰと起床後測定ＤＢＰの平均データが示す血圧値と基準値との比較の結果、起床後の平均の血圧値も基準値を超えていると判定されるので、表示制御部２５は表示領域４Ｂにアイコン９０を点灯する。なお、表示領域４Ａのデータの表示態様の変更に代替して、表示領域４Ｃの夜のマークの表示態様を変更（たとえば、点滅、表示色変更など）してもよく、表示領域４Ａと４Ｂの両方について表示態様の変更がされてもよい。
【０１３８】
図３６（Ｂ）では、就寝前測定ＳＢＰと就寝前測定ＤＢＰの平均データ６４１と６５１が示す血圧値と基準値との比較の結果、平均の血圧値が基準値を超えていない（基準値以下）と判定されるので、表示制御部２５による表示領域４Ａのデータの表示態様は変更されない。一方、起床後測定ＳＢＰと起床後測定ＤＢＰの平均データが示す血圧値と基準値との比較の結果、基準値を超えていると判定されるので、表示制御部２５は表示領域４Ｂにアイコン９０を点灯する。
【０１３９】
図３６（Ｃ）では、就寝前測定ＳＢＰと就寝前測定ＤＢＰの平均データ６４１と６５１が示す血圧値と基準値との比較の結果、平均の血圧値が基準値を超えていない（基準値以下）と判定されるので、表示制御部２５は表示領域４Ａのデータの表示態様を変更しない。また、起床後測定ＳＢＰと起床後測定ＤＢＰの平均データが示す血圧値と基準値との比較の結果、起床後の平均血圧値も基準値以下（超えていない）と判定されるので、表示制御部２５は、表示領域４Ｂにアイコン９０を点灯しない。
【０１４０】
ここでは就寝前測定と起床後測定の両方の平均データのうち、表示領域４Ａには就寝前測定の平均データを表示しているが、起床後測定の平均データを表示するようにしてもよい。その場合には表示領域４Ｂには就寝前測定の平均データの値と基準値との比較の結果に基づきアイコン９０の点灯がされる。また、表示領域４Ｃには、図３５（Ａ）と（Ｂ）と同様の朝のマークが表示される。
【０１４１】
上述の表示例１０と１１では、所定の条件下で測定された血圧データ群の代表血圧値を表示領域４Ａに表示し、その代表血圧値がリスクの判定の基準値を超えている場合には、表示領域４Ａの血圧値または/および測定条件を示すデータ（表示領域４Ｃの朝または夜のマーク）の表示態様を所定態様で表示し、または/および特定の記号（アイコン９０）を表示領域４Ｂに表示する。なお、特定の記号（アイコン９０）の点灯に代替して、または特定の記号の点灯とともに、図示されないランプが点灯/点滅したり、または音出力部４７を介してブザーなどの音または音声が出力されたり、または振動部４８を介して振動が起こるようにしてもよい。
【０１４２】
また、表示部４に、比較結果に基づく基準値と表示領域４Ａの平均血圧値との差分を前述したような棒状のインジケータ８７で表示するようにしてもよい。
【０１４３】
このように、表示例１１では、起床後（朝）および就寝前（夜）の両方のうちの一方で測定された血圧データ群の代表データである平均血圧データを表示部４に表示するとともに、両方の血圧データ群の平均血圧値それぞれと基準値との相互関係を、両者の比較結果により示される高低関係として、表示された平均血圧データの表示態様、アイコン９０の点灯の有無、または朝（夜）マークの表示態様で示している。
【０１４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４５】
【図１】本実施の形態に係る電子血圧計の機能構成図である。
【図２】本実施の形態に係る電子血圧計の概観図である。
【図３】（Ａ）と（Ｂ）は本実施の形態に係る電子血圧計の測定データ格納例を示す図である。
【図４】本実施の形態に係る電子血圧計の測定手順の一例を示すフローチャートである。
【図５】本実施の形態に係る電子血圧計の測定手順の他の例を示すフローチャートである。
【図６】本実施の形態に係る電子血圧計の測定手順のさらなる他の例を示すフローチャートである。
【図７】本実施の形態に係る測定結果の表示例を示す図である。
【図８】本実施の形態に係る測定結果の表示例を示す図である。
【図９】本実施の形態に係る測定結果の表示例を示す図である。
【図１０】本実施の形態に係る測定結果の表示例を示す図である。
【図１１】（Ａ）〜（Ｄ）は本実施の形態に係る測定結果の表示例を示す図である。
【図１２】本実施の形態に係る測定結果の表示例を示す図である。
【図１３】（Ａ）〜（Ｄ）は本実施の形態に係る測定結果の表示例を示す図である。
【図１４】本実施の形態に係る測定結果の表示例を示す図である。
【図１５】本実施の形態に係る測定結果の表示例を示す図である。
【図１６】本実施の形態に係る測定結果の表示例を示す図である。
【図１７】本実施の形態に係る測定結果の表示例を示す図である。
【図１８】本実施の形態に係る測定結果の表示例を示す図である。
【図１９】本実施の形態に係る測定結果の表示例を示す図である。
【図２０】本実施の形態に係る測定結果の表示例を示す図である。
【図２１】本実施の形態に係る測定結果の表示例を示す図である。
【図２２】本実施の形態に係る測定結果の表示例を示す図である。
【図２３】本実施の形態に係る測定結果の表示例を示す図である。
【図２４】（Ａ）〜（Ｅ）は本実施の形態に係る測定結果の表示例を示す図である。
【図２５】本実施の形態に係る測定結果の表示例を示す図である。
【図２６】本実施の形態に係る測定結果の表示例を示す図である。
【図２７】本実施の形態に係る測定結果の表示例を示す図である。
【図２８】本実施の形態に係る測定結果の表示例を示す図である。
【図２９】本実施の形態に係る測定結果の表示例を示す図である。
【図３０】（Ａ）〜（Ｅ）は本実施の形態に係る測定結果の表示例を示す図である。
【図３１】本実施の形態に係る測定結果の表示例を示す図である。
【図３２】本実施の形態に係る測定結果の表示例を示す図である。
【図３３】本実施の形態に係る測定結果の表示例を示す図である。
【図３４】本実施の形態に係る測定結果の表示例を示す図である。
【図３５】（Ａ）と（Ｂ）は、本実施の形態に係る測定結果の表示例を示す図である。
【図３６】（Ａ）〜（Ｃ）は、本実施の形態に係る測定結果の表示例を示す図である。
【符号の説明】
【０１４６】
１  電子血圧計、２２  リスク処理部、２３  平均値算出部、２４  リスク値算出・判定部、２５  表示制御部、２８  算出部、３０  データ格納部、３１  コンピュータ、４７  音出力部、４８  振動部。
【図１】
0004595739.tif 000002
【図２】
0004595739.tif 000003
【図３】
0004595739.tif 000004
【図４】
0004595739.tif 000005
【図５】
0004595739.tif 000006
【図６】
0004595739.tif 000007
【図７】
0004595739.tif 000008
【図８】
0004595739.tif 000009
【図９】
0004595739.tif 000010
【図１０】
0004595739.tif 000011
【図１１】
0004595739.tif 000012
【図１２】
0004595739.tif 000013
【図１３】
0004595739.tif 000014
【図１４】
0004595739.tif 000015
【図１５】
0004595739.tif 000016
【図１６】
0004595739.tif 000017
【図１７】
0004595739.tif 000018
【図１８】
0004595739.tif 000019
【図１９】
0004595739.tif 000020
【図２０】
0004595739.tif 000021
【図２１】
0004595739.tif 000022
【図２２】
0004595739.tif 000023
【図２３】
0004595739.tif 000024
【図２４】
0004595739.tif 000025
【図２５】
0004595739.tif 000026
【図２６】
0004595739.tif 000027
【図２７】
0004595739.tif 000028
【図２８】
0004595739.tif 000029
【図２９】
0004595739.tif 000030
【図３０】
0004595739.tif 000031
【図３１】
0004595739.tif 000032
【図３２】
0004595739.tif 000033
【図３３】
0004595739.tif 000034
【図３４】
0004595739.tif 000035
【図３５】
0004595739.tif 000036
【図３６】
0004595739.tif 000037